(57)【特許請求の範囲】
【請求項１】
竪框と横框と端部キャップとを備え、竪框は、見付け壁と見込み壁とを有するソリッド形材であり、見込み壁に外周側に膨らむ段部を長手方向の全長に有し、横框は、端部を竪框の見込み壁に突き当ててあり、端部キャップは、竪框の段部と横框の端面との間の隙間に挿入されると共に、段部の見込み壁に抜け止めされて係合して竪框の長手方向端部に取付けてあることを特徴とする建具。
【発明の詳細な説明】
【技術分野】
【０００１】
本発明は、竪框の見付け寸法を小さくできる建具に関する。
【背景技術】
【０００２】
従来、障子の竪框には中空部を有する形材が用いられ（例えば、特許文献１の図８参照）、その中空部に差し込むようにして竪框の上下端部に樹脂製の端部キャップを取付けている。近年、障子の框の見付け寸法の小さい意匠が好まれるが、中空部を有する形材を用いているために竪框の見付け寸法を小さくできなかった。
【先行技術文献】
【特許文献】
【０００３】
【特許文献１】特開２００８−２３１７６１号公報
【発明の概要】
【発明が解決しようとする課題】
【０００４】
本発明は以上に述べた実情に鑑み、竪框の見付け寸法を小さくできると共に、端部キャップを確実に取付けることのできる建具の提供を目的とする。
【課題を解決するための手段】
【０００５】
上記の課題を達成するために請求項１記載の発明による建具は、竪框と横框と端部キャップとを備え、竪框は、見付け壁と見込み壁とを有するソリッド形材であり、見込み壁に外周側に膨らむ段部を長手方向の全長に有し、横框は、端部を竪框の見込み壁に突き当ててあり、端部キャップは、竪框の段部と横框の端面との間の隙間に挿入されると共に、段部の見込み壁に抜け止めされて係合して竪框の長手方向端部に取付けてあることを特徴とする。
【発明の効果】
【０００６】
請求項１記載の発明による建具は、竪框が見付け壁と見込み壁とを有するソリッド形材であり、見込み壁に外周側に膨らむ段部を長手方向の全長に有し、横框は端部を竪框の見込み壁に突き当ててあり、端部キャップは竪框の段部と横框の端面との間の隙間に挿入されると共に、段部の見込み壁に抜け止めされて係合して竪框の長手方向端部に取付けてあることで、竪框の見付け寸法を小さくできると共に、端部キャップを確実に取付けることができる。
【図面の簡単な説明】
【０００７】
【図１】（ａ）は竪横框の接合部を示す横断面図であり、（ｂ）は同接合部の室外側正面図であり、（ｃ）は同接合部の縦断面図である。
【図２】本発明に係る建具の一実施形態を示す縦断面図である。
【図３】同建具の横断面図である。
【図４】同建具の室内側正面図である。
【図５】竪横框の接合部を示す斜視図である。
【図６】（ａ）は端部キャップの平面図、（ｂ）は端部キャップの室外側正面図、（ｃ）は端部キャップの側面図である。
【図７】障子の水抜き孔の設け方の例を示す縦断面図である。
【発明を実施するための形態】
【０００８】
以下、本発明の実施の形態を図面に基づいて説明する。図２〜４は、本発明に係る建具の一実施形態であって、すべり出し窓に適用した例を示している。本建具は、躯体開口部に取付けられる枠７と、枠７内に開閉自在に取付けた障子８とを備えている。障子８は、図３に示すように、竪枠９と竪框１の見込み面間の隙間に配置されたアーム１０により枠７と連結され、室外側にすべり出しつつ上部側を支点に室外側に回動して開くようになっている。
【０００９】
枠７は、図２，３に示すように、アルミニウム合金の押出形材で形成した上枠１１と下枠１２と左右の竪枠９，９とを方形に枠組みして構成してある。枠７には、障子８の室内側面の外周部に当接するタイト材１３が取付けてある。さらに枠７は、前記タイト材１３の周囲を囲むように、火災の熱に反応して発泡・膨張する耐火材１４が取付けてある。かかる耐火材１４は、市販品の中から適宜選択して用いることができ、例えば積水化学工業株式会社製の商品名「フィブロック」を用いることができる。これは、プラスチック技術を活用した有機系耐火材であり、通常の状態では薄いシート状で、２００℃以上に加熱されると厚さ方向に５〜４０倍に膨張し、断熱層を形成する。火災時に消失することがなく、有害ガスが発生することもない。またフィブロックは、片面に剥離紙付きの接着層を有しているので、剥離紙を剥がして簡便に接着取付けできる。本建具は、火災時にこの耐火材１４が発泡・膨張して枠７と障子８間の隙間を埋め、火炎や煙等が室内外を貫通するのを防ぐことができる。図２に示すように、下枠１２の中空部内にも火災の熱に反応して発泡・膨張する耐火材１５が設けてあり、火災時にはこの耐火材１５が発泡して下枠１２の水抜き孔を塞ぐ。
【００１０】
障子８は、図２，３に示すように、アルミニウム合金の押出形材で形成した上下の横框２ａ，２ｂと左右の竪框１，１とを四周框組みし、その内側に複層ガラス１６を取付けて構成されている。複層ガラス１６の室外側のガラス１６ａは、網入りの強化ガラスになっている。各框１，２ａ，２ｂは、内周側が開口したパネル保持溝１７を有し、パネル保持溝１７内にバックアップ材１８とシール材１９を介して複層ガラス１６の縁部を固定してある。上横框２ａと竪框１は、パネル保持溝１７の室内側の壁が着脱自在な押縁２０になっている。パネル保持溝１７内にも、火災の熱に反応して発泡・膨張する耐火材２１が取付けてあり、火災発生時にはその耐火材２１が発泡・膨張してパネル保持溝１７内の隙間を埋め、框１，２ａ，２ｂと複層ガラス１６との間から火炎や煙等が貫通するのを阻止する。また、下横框２ｂのパネル保持溝１７内に配置したセッティングブロック２２は、火災の熱で溶けにくい金属製のものとなっている。
【００１１】
上下の横框２ａ，２ｂは、図２に示すように、中空部を有する形材よりなり、中空部内にタッピングホール２３が２箇所形成してある。また、複層ガラス１６を室外側から支持する支持片２４は、その根元側に室外側に向けて斜めに屈曲する屈曲部２５を有している。下横框２ｂは、パネル保持溝１７の底面の室外側位置に凹部２６が形成してある。このように凹部２６が形成してあることで、図７（ａ），（ｂ）に示すように、パネル保持溝１７内に浸入した雨水や結露水２７は凹部２６に溜まり、竪框１に設けた排水孔２８ａ（図７（ａ））、若しくは下横框２ｂに設けた排水孔２８ｂ（図７（ｂ））より、障子８の外に速やかに排水される。そのため、雨水２７等がパネル保持溝１７内の室内側に来ることがないので、水密性が良い。
【００１２】
左右の竪框１は、図３に示すように、室外側及び室内側の見付壁４ａ，４ｂと見込み壁５とを有するソリッド形材となっており、見込み壁５には外周側に膨らむ段部６を長手方向の全長に有している。見込み壁５には、段部６に裏板２９を配置してアーム１０がネジ３０で取付けてある。
【００１３】
横框２ａ，２ｂと竪框１とは、図１，５に示すように、横框２ａ，２ｂの室外側の支持片２４を端部より所定長さ切欠いた上で、横框２ａ，２ｂの端部を竪框１の見付壁４ａ，４ｂ間に差し入れ、横框２ａ，２ｂの端面を竪框１の見込み壁５に突き当て、側方から竪框１の孔に挿入したネジ（図示省略）を横框２ａ，２ｂのタッピングホール２３に螺入することで、連結固定してある。竪框１の見込み壁５に段部６が形成されていることで、横框２ａ，２ｂの端面と竪框１の見込み壁５との間には隙間３１ができるが、この隙間３１には火災の熱に反応して発泡・膨張する耐火材３２が設けてある。
【００１４】
竪框１の上下端部には、図１に示すように、樹脂製の端部キャップ３が取付けてある。端部キャップ３は、図６に示すように、竪框１の端面に当接する端面当接部３３と、端面当接部３３より立上がり、竪框１の段部６に上下から挿入される段部挿入部３４と、端面当接部３３より立上がり、竪框１の室外側の見付壁４ａに形成された溝部３５ａ，３５ｂに上下から挿入される溝部挿入部３６ａ，３６ｂと、横框２ａ，２ｂの室外側壁をカバーするカバー部３７とを有している。段部挿入部３４には、外周側面に抜け止め用の突起３８が形成されている。端部キャップ３は、竪横框１，２ａ，２ｂを連結した後、段部挿入部３４と溝部挿入部３６ａ，３６ｂとを竪框１の段部６と溝部３５ａ，３５ｂに上下から挿入して取付けられ、挿入すると段部挿入部３４に設けた突起３８が竪框１の見込み壁５の段部６に予め開けておいた孔３９に係止して、抜けないように保持される。なお端部キャップ３は、竪框１と横框２ａ，２ｂとを框組みするのと同時に取付けることもできる。
【００１５】
以上に述べたように本建具は、竪框１が見付け壁４ａ，４ｂと見込み壁５とを有するソリッド形材であり、見込み壁５に外周側に膨らむ段部６を長手方向の全長に有し、横框２ａ，２ｂは端部を竪框１の見込み壁５に突き当ててあり、端部キャップ３を竪框１の段部６に係合して竪框１の長手方向端部に取付けてあることで、竪框１の見付け寸法を小さくできると共に、端部キャップ３を確実に取付けることができる。また、竪框１の見込み壁５に外周側に膨らむ段部６を設けることで、当該段部６にアーム１０をネジ止めするための裏板２９を配置できると共に、ネジ３０の先端が複層ガラス１６と干渉するのを防げるので、竪框１へのアーム１０の取付け性を向上しながら、竪框１の見付け寸法をより一層小さくできる。さらに本建具は、横框２ａ，２ｂの端部の竪框１との突合せ部において、竪框１の見込み壁５の段部６に火災の熱に反応して発泡・膨張する耐火材３２が設けてあるので、火災時に端部キャップ３が溶けて脱落したとしても、発泡した耐火材３２が段部６によって生ずる隙間３１を埋めるため、その隙間３１から火炎や煙等が貫通するのを防ぐことができる。
【００１６】
本発明は以上に述べた実施形態に限定されない。竪框１及び横框２ａ，２ｂの断面形状や端部キャップ３の形状等は、適宜変更することができる。段部６の深さは、アーム１０の幅に応じて適宜設定することができる。障子８の開き方は、すべり出し窓に限らず、開き窓、突き出し窓、内倒し窓等、あらゆる窓種に対応することができる。
【符号の説明】
【００１７】
１  竪框
２ａ，２ｂ  横框
３  端部キャップ
４ａ，４ｂ  見付壁
５  見込み壁
６  段部
【図１】
0006396174.tif 000002
【図２】
0006396174.tif 000003
【図３】
0006396174.tif 000004
【図４】
0006396174.tif 000005
【図５】
0006396174.tif 000006
【図６】
0006396174.tif 000007
【図７】
0006396174.tif 000008